(57)【要約】本発明はケーブルバンドを改良発明したもので，クリッピングしたケーブルバンドのクリッピングを容易に解除できるように構成され，再使用を可能にしたものである。すなわち，所定長さのバンド（２）の一端に，このバンド（２）の他端を挿入してクリッピングするためのクリップ部（３）を設け，このクリップ部（３）にテーパ型の鋼球導入穴（５）を形成する傾斜突出部（４）を設け，この鋼球導入穴（５）に入れられた鋼球（６）によってバンド（２）を挟持することによりクリッピング可能であって，前記傾斜突出部（４）の長手方向に沿って工具（８）を差込んで鋼球（６）移動可能な長孔（７）を形成した。
2005501782.tif 000002
【特許請求の範囲】
【請求項１】
所定長さのバンド（２）の一端に，このバンド（２）の他端を挿入してクリッピングするためのクリップ部（３）を設け，このクリップ部（３）にテーパ型の鋼球導入穴（５）を形成する傾斜突出部（４）を設け，この鋼球導入穴（５）に入れられた鋼球（６）によってバンド（２）を挟持することによりクリッピング可能であって，前記傾斜突出部（４）の長手方向に沿って長孔（７）を形成したことを特徴とするケーブルバンド。
【発明の詳細な説明】
【技術分野】
【０００１】
本発明は，各種配管材やケーブルなどを結束するケーブルバンドに関する。
【背景技術】
【０００２】
通常，各種の配管材やケーブルなどを特定個所や結束対象物を結束するために，ポリプロピレン（ＰＰ：ｐｏｌｙｐｒｏｐｙｌｅｎｅ）のような合成樹脂やステンレスなどの様々な材質，形態のケーブルバンドが産業界では広く使用されている。
【発明の開示】
【発明が解決しようとする課題】
【０００３】
しかしながら，このような従来のケーブルバンドの場合，一度クリッピングされた後は，これを解除する時，バンドを切断する必要があるため，バンドの再使用が不可能であった。特に上記のステンレスなどの金属材ケーブルバンドの場合，高価な資源を捨てることになり，産業界では再使用可能な改良型ケーブルバンドの開発が待ち望まれているのが実情である。
【０００４】
そこで，本発明はこのような問題に鑑みてなされたもので，その目的とするところは，結束対象物に適正な張力でクリッピングされたケーブルバンドを切断することなくアンクリッピングでき，再使用が可能なケーブルバンドを提供することにある。
【課題を解決するための手段】
【０００５】
上記課題を解決するために，本発明によれば，所定長さのバンド（２）の一端に，このバンド（２）の他端を挿入してクリッピングするためのクリップ部（３）を設け，このクリップ部（３）にテーパ型の鋼球導入穴（５）を形成する傾斜突出部（４）を設け，この鋼球導入穴（５）に入れられた鋼球（６）によってバンド（２）を挟持することによりクリッピング可能であって，前記傾斜突出部（４）の長手方向に沿って長孔（７）を形成したことを特徴とするケーブルバンドが提供される。
【０００６】
このような本発明においては，バンド（２）の他端をクリップ部（３）に挿入して，バンド（２）を引っぱって離すとクリッピングされる。すなわち，バンド（２）を引張るとは鋼球（６）が傾斜突出部（４）内の鋼球導入穴（５）の結束方向すなわち広い方に移動して転がり，引っぱっていたバンド（２）を離すと，鋼球（６）が鋼球導入穴（５）の先端方向すなわち狭い方に移動して，バンド（２）をしっかり掴んでクリッピング状態となる。
【０００７】
また，ケーブルバンド（１）をアンクリッピング（クリッピングを解除）する場合には，傾斜突出部（４）の長孔（７）に小型ドライバまたはピンなどの工具を差込んで，鋼球（６）を鋼球導入穴（５）の結束方向すなわち広い方に移動させることにより，バンド（２）を簡単にアンクリッピングすることができる。
【発明の効果】
【０００８】
本発明によれば，簡単な構成で，簡単にクリッピングすることができるとともに，バンドを切断することなく簡単にアンクリッピングすることができる。これにより，ケーブルバンドの再使用が可能になるなど使用上の便利性，資源節約などの効果を奏することができる。
【発明を実施するための最良の形態】
【０００９】
以下，本発明の好適な実施の形態について，添付図面を参照しながら詳細に説明する。図１は本発明の実施形態にかかるケーブルバンドの構成を示す斜視図であり，図２は図１に示すケーブルバンドのクリッピングした際の使用状態を示す断面図である。図３は，図１に示すケーブルバンドをアンクリッピングする際の作用説明図である。
【００１０】
図１に示すように本実施形態にかかるケーブルバンドは，所定長さのバンド（２）の一端にはクリップ部（３）が設けられている。このクリップ部（３）は図１，図２に示すようにケーブルなどの結束対象物（９）をケーブルバンド（１）で結束する際に，バンド（２）の他端を挿入し，所定長さの位置で鋼球（６）で挟持することにより，脱着自在に固定するものである。
【００１１】
クリップ部（３）には，その先端からケーブルバンド（１）の他端を挿入する方向へ向けて広がるように傾斜した傾斜突出部（４）が設けられている。この突出部（４）により鋼球（６）が入れられたテーパ型の鋼球導入穴（鋼球投入穴）（５）が形成される。この鋼球導入穴（steel ball injection hole）（５）に入れられた鋼球（６）により挿入されたバンド（２）を挟み，クリッピングできるようにしている。
【００１２】
上記クリップ部（３）の傾斜突出部（４）は，傾斜突出部（４）の長手方向（傾斜方向）に沿って長孔（７）が形成されている。図３に示すように，傾斜突出部（４）の長孔（７）に小型ドライバやピンなどの工具（８）を挿入することによって鋼球導入穴（５）で鋼球（６）を移動させることができる。
【００１３】
なお，本実施形態にかかるケーブルバンド（１）は，例えばステンレス等の金属材料で構成されるが，ポリプロピレン（ＰＰ：ｐｏｌｙｐｒｏｐｙｌｅｎｅ）のような合成樹脂で構成してもよい。
【００１４】
このような構成のケーブルバンドにおいては，図２に示すように各種の結束対象物（９）を結束する際，バンド（２）で結束対象物（９）を束ねた後，図１に示すようにバンド（２）の他端をクリップ部（３）に挿入して，バンド（２）を結束方向に引き締めて離すと，図２に示すようにクリッピングされる。
【００１５】
すなわち，クリップ部（３）に挿入されたバンド（２）をさらに結束方向（バンド（２）のクリップ部（３）への挿入方向）に引張ると，鋼球（６）が傾斜突出部（４）内の鋼球導入穴（５）の結束方向すなわち広い方に移動して転がり，引張っていたバンド（２）を離すと，鋼球（６）が鋼球導入穴（５）の先端方向すなわち狭い方に移動して，バンド（２）をしっかり掴んでクリッピング状態となる。
【００１６】
本実施形態にかかるケーブルバンド（１）には，傾斜突出部（４）の長手方向に長孔（７）が形成されているので，例えば結束対象物（９）のメンテナンスなどの理由によりケーブルバンド（１）をアンクリッピング（クリッピングを解除）する場合には，図３にすように，傾斜突出部（４）の長孔（７）に小型ドライバまたはピンなどの工具（８）を差込んで，鋼球（６）を鋼球導入穴（５）の結束方向すなわち広い方に移動させることにより，バンド（２）を簡単にアンクリッピングすることができる。これにより，ケーブルバンド（１）の再使用が可能になるなど使用上の便利性，資源節約などの効果を奏することができる。すなわち，バンドの切断が必要で再使用できないといった従来の問題点を解消することができる。
【産業上の利用可能性】
【００１７】
各種配管材やケーブルなどを結束するケーブルバンドに適用可能である。
【図面の簡単な説明】
【００１８】
【図１】本発明の実施形態にかかるケーブルバンドの外観構成を示す斜視図である。
【図２】同実施形態にかかるケーブルバンドをクリッピングした際の断面図である。
【図３】同実施形態にかかるケーブルバンドをアンクリッピングする際の作用説明図である。
【符号の説明】
【００１９】
１：ケーブルバンド
２：バンド
３：クリップ部
４：傾斜突出部
５：鋼球導入穴
６：鋼球
７：長孔
８：工具
【図１】
2005501782.tif 000003
【図２】
2005501782.tif 000004
【図３】
2005501782.tif 000005
【国際公開パンフレット】
2005501782.tif 000006
2005501782.tif 000007
2005501782.tif 000008
2005501782.tif 000009
2005501782.tif 000010
2005501782.tif 000011
2005501782.tif 000012
2005501782.tif 000013
【国際調査報告】
2005501782.tif 000014
2005501782.tif 000015